(57)【要約】【課題】表地、裏地の任意の面を外面にして着用可能なフード、ネックウォーマー等を衣服等に固定する際にどちらの面を外面にした場合もフード等側と衣服側のマグネットボタンが相手側を吸引した状態になるようにする。【解決手段】一対の円盤状磁石と各磁石を衣服等に取り付けるためのつば状部とから構成し、各円盤状磁石は直径線で分けた一方の半円盤状部は表面側がＮ極、裏面側がＳ極に、他方の半円盤状部は表面側がＳ極、裏面側がＮ極になるよう着磁する。つば状部は磁石を覆えるサイズの２枚の合成樹脂フィルムで磁石を挟み、磁石の外側となる部分を磁石が円盤中心周りに自由旋回できる状態にして熱圧着で接合する。【選択図】図２
2014030543.tif 000002
【特許請求の範囲】
【請求項１】
衣服の離れた部分を合わせ状態にしたり、フード等の別物品を衣服等に固定したりするために使用するマグネットボタンであって、
一対の円盤状磁石と、各磁石を衣服等に取り付けるためのつば状部とから構成され、
前記各円盤状磁石は直径線で分けた一方の半円盤状部は表面側がＮ極、裏面側がＳ極に、他方の半円盤状部は表面側がＳ極、裏面側がＮ極になるよう着磁されており、
前記つば状部は前記磁石を覆えるサイズの２枚の合成樹脂フィルムからなり、２枚のフィルム間に前記磁石を挟んで磁石の外側となる部分を熱圧着で接合し、封じ込められた状態においても磁石は円盤中心周りに自由旋回できるように封じ込めてあることを特徴とするマグネットボタン。
【請求項２】
請求項１に記載のマグネットボタンにおいて、前記各円盤状磁石は直行する２本の直径線で４区画に分け、各区画の表面側は円周方向順にＮ極、Ｓ極、Ｎ極、Ｓ極に、それら各区画の裏面側は表面側とは反対のＳ極、Ｎ極、Ｓ極、Ｎ極となるように着磁してあることを特徴とするマグネットボタン。
【請求項３】
請求項１又は２に記載のマグネットボタンにおいて、前記つば状部は前記合成樹脂フィルムに代えて布または非磁性の金属薄板を用いて形成してあることを特徴とするマグネットボタン。
【発明の詳細な説明】
【技術分野】
【０００１】
本発明は、衣類の合わせ目などを磁石の力を利用して留めるためのマグネットボタンに関する。
【背景技術】
【０００２】
衣類の前見頃の合わせ目などの留めは、合わせ目の一方に糸で取り付けた円盤状ボタンを他方に設けたボタン穴に通すことで行なうのが一般的である。しかし、この留め方は幼児、高齢者、手の不自由な障害者には困難を伴うことから、一対の磁石間に働く吸引力を利用して留めるマグネットボタンが開発され(例えば、特許文献１〜３参照）、市販されている。
【０００３】
図１１は市販されている従来のマグネットボタンの一例である。このマグネットボタン５１は円盤状の磁石５２を四角形、円形等の２枚の合成樹脂フィルム５３で挟み、磁石５２の外側となる部分を熱圧着で接合して磁石５２を封じ込めたものである。磁石５２は厚み方向に片側がＮ極、反対側がＳ極になるよう着磁されており、図１１に示すもの２個一対で１個のマグネットボタンとして使用される。衣類の前身頃の合わせ目などに使用する場合は、左前身頃と右前見頃を合わせたときの合わせ面の二つの磁極が相手側と異なった極性となって二つの磁石が互いに吸引し合うように取り付けられる。
【０００４】
しかし、このような従来型のマグネットボタンには次のような不便さがある。例えば、図１２に示すように表地が白色、裏地が黒色のフードを衣服の後ろ襟部分にマグネットボタンで固定して使用する場合である。衣服５５の後ろ襟部分には外側がＮ極、内側がＳ極となるようにして一方のマグネットボタン５６ａを取り付け、表地を白色にしたフード５７ａの後ろ側には外側がＮ極、内側がＳ極となるようにして他方のマグネットボタン５６ｂを取り付ける。この状態では衣服５５の外側のＮ極とフード５７ａの内側のＳ極とが吸引しあってフード５７ａは衣服５５に固定される。
【０００５】
ところが、フードを裏返して黒色側を外面にして着用すると、裏返した状態のフード５７ｂのマグネットボタン５６ｂは外側がＳ極、内側がＮ極となる。このため衣服５５のマグネットボタン５６ａの外側とフード５７ｂのマグネットボタン５６ｂの内側が共にＮ極となって反発しあうためフード５７ｂを衣服５５に固定させることができない。
【先行技術文献】
【特許文献】
【０００６】
【特許文献１】実開昭５３−１１０００１号公報
【特許文献２】特開２００５−２８０２２号公報
【特許文献３】特開２００５−２７０５９７号公報
【発明の概要】
【発明が解決しようとする課題】
【０００７】
本発明は、従来技術のこうした問題点を解決するためになされたもので、その課題は表地、裏地の任意の面を外面にして着用可能なフード、ネックウォーマー等の衣服への固定等に使用するマグネットボタンであって、表地、裏地のどちらの面を外面にした場合も取り付けた一対のマグネットボタンが互いに吸引しあってフード等を衣服等に固定させることが可能なマグネットボタンを提供することにある。
【課題を解決するための手段】
【０００８】
前記課題を解決するための請求項１に記載の発明は、衣服の離れた部分を合わせ状態にしたり、フード等の別物品を衣服等に固定したりするために使用するマグネットボタンであって、一対の円盤状磁石と、各磁石を衣服等に取り付けるためのつば状部とから構成され、各円盤状磁石は直径線で分けた一方の半円盤状部は表面側がＮ極、裏面側がＳ極に、他方の半円盤状部は表面側がＳ極、裏面側がＮ極になるよう着磁されており、つば状部は磁石を覆えるサイズの２枚の合成樹脂フィルムからなり、２枚のフィルム間に磁石を挟んで磁石の外側となる部分を熱圧着で接合し、封じ込められた状態においても磁石は円盤中心周りに自由旋回できるように封じ込めてあることを特徴とするマグネットボタンである。
【０００９】
このような構成のマグネットボタンによれば、表地、裏地の任意の面を外面にして着用可能なフード、ネックウォーマー等を衣服等に固定する際に、表地、裏地のどちらの面を外面にした場合も取り付けた一対のマグネットボタンが互いに吸引しあうためフード等を衣服等に固定させることができる。
【００１０】
また、請求項２に記載の発明は、請求項１に記載のマグネットボタンにおいて、各円盤状磁石は直行する２本の直径線で４区画に分け、各区画の表面側は円周方向順にＮ極、Ｓ極、Ｎ極、Ｓ極に、それら各区画の裏面側は表面側とは反対のＳ極、Ｎ極、Ｓ極、Ｎ極となるように着磁してあることを特徴とするマグネットボタンである。
【００１１】
このような構成のマグネットボタンも請求項１記載のマグネットボタンと同様の効果を奏する。
【００１２】
また、請求項３に記載の発明は、請求項１又は２に記載のマグネットボタンにおいて、つば状部は合成樹脂フィルムに代えて布または非磁性の金属薄板を用いて形成してあることを特徴とするマグネットボタンである。
【００１３】
このような構成としても請求項１、２に記載の発明と同様の効果を奏する。
【図面の簡単な説明】
【００１４】
【図１】本発明に係るマグネットボタンの一方のマグネットボタン片２の外観図である。
【図２】マグネットボタン片２に内包された磁石３の磁化状況を示す図である。
【図３】マグネットボタンにてフードを衣服に固定する例の説明図である。
【図４】二つのマグネットボタン片１２ａ、１２ｂを近づけた場合の磁極位置関係の例である。
【図５】二つのマグネットボタン片１２ａ、１２ｂを近づけた場合の磁極位置関係の他の例である。
【図６】二つのマグネットボタン片１２ａ、１２ｂを近づけた場合の磁極位置関係の他の例である。
【図７】本発明に係るマグネットボタンを吸着状態にした場合の外部漏洩磁束の磁力線の模式図である。
【図８】従来のマグネットボタンを吸着状態にした場合の外部漏洩磁束の磁力線の模式図である。
【図９】第２の実施形態に係るマグネットボタン片２０に内包された磁石３の磁化状況を示す図である。
【図１０】二つのマグネットボタン片２２ａ、２２ｂを近づけた場合の磁極位置関係の例である。
【図１１】従来のマグネットボタンの片側の平面図（１）と断面図（２）である。
【図１２】従来のマグネットボタンによりフードを衣服の後ろ襟部分に固定する場合の説明図である。
【発明を実施するための形態】
【００１５】
以下、本発明に係るマグネットボタンの一実施形態について図面を参照して説明する。マグネットボタンは磁石を内包するマグネットボタン片を２個一対として構成される。図１は、その内の一方のマグネットボタン片２の外観図である。他方のマグネットボタン片も同様の外観を有する。図２はマグネットボタン片２に内包されている磁石３の形状と磁化の状況を示したものである。磁石３は厚みの薄い円盤状に形成されており、直径線で分けた一方の半円盤状部は表面側がＮ極、裏面側がＳ極になるよう着磁され、他方の半円盤状部は表面側がＳ極、裏面側がＮ極になるよう着磁されている。
【００１６】
磁石３は、全体を覆えるサイズの２枚の四角形状の合成樹脂フィルム５の間に挟まれた状態で収納されている。合成樹脂フィルム５としては例えば、塩化ビニールを使用する。２枚の合成樹脂フィルム５で磁石３を挟み、磁石３の外側となる部分は熱圧着により接合してある。この合成樹脂フィルム５で形成されている部分をつば状部６と呼ぶことにする。磁石３はつば状部６に封じ込められた状態においても、円盤中心周りに自由旋回できるように封じ込められている。そのため、前記熱圧着は磁石３の外縁から少し離れた部分より外側部分に対して施されている。なお、合成樹脂フィルムの形状は磁石３を覆える形状であればよく円形、その他でもよい。
【００１７】
次に、このような構成からなるマグネットボタンの使用法をフードを衣服に固定する場合を例に図３を参照して説明する。フードは表地が白色、裏地が黒色にされており、どちらを外面としても着用できるようにデザインされているものとする。外面を白色にした場合をフード１０ａ、黒色にした場合をフード１０ｂとする。衣服１１の後ろ襟部分にはマグネットボタンの一方のマグネットボタン片１２ａを、フード１０ａの後部には他方のマグネットボタン片１２ｂを取り付ける。
【００１８】
この状態でフード１０ａを固定するためにマグネットボタン片１２ｂを衣服１１のマグネットボタン片１２ａに近づけたとする。二つのマグネットボタン片１２ａ、１２ｂの磁石が図４に示すようにマグネットボタン片１２ｂの内側のＳ極部分はマグネットボタン片１２ａの外側のＮ極部分に一致し、マグネットボタン片１２ｂの内側のＮ極部分はマグネットボタン片１２ａの外側のＳ極部分に一致するような位置関係で近づいたとする。この場合は磁石の接触面の磁極が一方はＮ極、他方はＳ極となるため互いに吸引力が働いてフード１０ａは衣服１１に固定される。
【００１９】
次に、図５に示すようにマグネットボタン片１２ｂの内側Ｓ極がマグネットボタン片１２ａの外側Ｎ極とは完全には向き合わない位置関係で接近した場合を考える。この場合はマグネットボタン片１２ｂの内側Ｎ極もマグネットボタン片１２ａの外側Ｓ極とは完全には向き合わない。このような位置関係で接近した場合には、対抗する面の磁極が反対である部分では吸引力が働き、対抗する面の磁極が同じである部分では反発力が働く。磁石は円盤中心周りに自由旋回できるようにつば状部６に封じ込められている。そのため、これら吸引力と反発力が働くことにより双方の磁石はつば状部６内で旋回し、反対磁極を有する面同士が図４のように殆ど真正面に向き合うようになる。そして、相互に吸引力が働いてフード１０ａは衣服１１に固定された状態になる。図６に示すように同じ極性の磁極面が殆ど対抗した状態で近づいた場合も、僅かなずれから旋回力が働き始め、その力が旋回と共に次第に大きくなって最終的に図４のように殆ど真正面に向き合うようになる。その結果、フード１０ａは衣服１１に固定された状態になる。
【００２０】
フード１０ａを外面を黒色にして、即ち、フード１０ｂのように裏返した状態で衣服１１に固定させる場合も同様である。フード１０ｂのマグネットボタン片１２ｂと衣服１１のマグネットボタン片１２ａの磁極の位置関係は外面を白色にして着用した場合と同様に図４、図５、図６の何れかになる。磁極はつば状部６内で旋回して最終的に図４に示すような位置関係になりフード１０ｂは衣服１１に固定される。「背景技術」で説明したように従来のマグネットボタンではフードを裏返して着用した場合にはフードを衣服に固定させることができないが、本発明のマグネットボタンはそれが可能となる利点を有する。
【００２１】
前記利点に加えて、本発明のマグネットボタンでは磁石から外部に漏れる漏洩磁束がマグネットボタンの近傍に限られ、マグネットボタンから離れた位置にまでは漏洩しない利点がある。図７は、二つのマグネットボタン片１２ａ、１２ｂを吸着状態にした場合の外部漏洩磁束の磁力線を模式的に描いたものである。本発明のマグネットボタンでは、同じ面にＮ極、Ｓ極の磁極が存在するため、磁力線はその同じ面の二つの磁極間を主に結び、離れた位置には延びにくい。これに対して従来のマグネットボタンでは、図８に示すように漏洩磁束の磁力線は一方の磁石の外面から他方の磁石の外面に向かう。このため漏洩磁束がマグネットボタンから離れた位置を通過して人体などに悪影響を与えかねない。このため従来のマグネットボタンでは磁気シールドを施す必要がある。本発明のマグネットボタンはその必要性が低い利点がある。
【００２２】
図９は、他の実施形態を示したもので前記マグネットボタンのマグネットボタン片２の磁化の仕方を変えたものである。このマグネットボタン片２０の外観は図１に示したものと同様である。マグネットボタンはこのマグネットボタン片２０を２個一対として構成される。マグネットボタン片２０は図９に示すように円盤状磁石２３を直行する２本の直径線で４区画に分け、各区画の表面側は円周方向順にＮ極、Ｓ極、Ｎ極、Ｓ極に、それら各区画の裏面側は表面側とは反対のＳ極、Ｎ極、Ｓ極、Ｎ極となるように着磁してある。
【００２３】
図１０は、このように磁化した一対のマグネットボタン片２２ａ、２２ｂを接近させた状態である。磁極の異なる区画が真正面に向き合う場合は磁石が互いに吸引しあってボタンが固定された状態となる。磁極の異なる区画が真正面には向き合わず、位置がずれて接近した場合は、図５、図６の場合と同様に区画間に吸引力と反発力が働いて双方の磁石はつば状部６内で旋回する。そして反対磁極を有する区画同士が図１０のように殆ど真正面に向き合うようになり、相互に吸引力が働いてボタンが固定された状態になる。従って、前記実施形態の図２に示したマグネットボタン片２からなるマグネットボタンと同様に機能する。
【００２４】
なお、前記各実施例ではつば状部６を合成樹脂フィルムで形成したが、合成樹脂フィルムに代えて布または非磁性の金属薄板を用いて形成してもよい。
【符号の説明】
【００２５】
図面中、２、２０はマグネットボタン片、３、２３は円盤状磁石、５は合成樹脂フィルム、６はつば状部、１０ａ、１０ｂはフード、１１は衣服、１２ａ、１２ｂ、２２ａ、２２ｂはマグネットボタン片を示す。
【図１】
2014030543.tif 000003
【図２】
2014030543.tif 000004
【図３】
2014030543.tif 000005
【図４】
2014030543.tif 000006
【図５】
2014030543.tif 000007
【図６】
2014030543.tif 000008
【図７】
2014030543.tif 000009
【図８】
2014030543.tif 000010
【図９】
2014030543.tif 000011
【図１０】
2014030543.tif 000012
【図１１】
2014030543.tif 000013
【図１２】
2014030543.tif 000014